(57)【特許請求の範囲】
【請求項１】
顎骨に埋植される歯科用インプラントであって、
その外面に、先端側から、雄ねじ部と埋入トルク増大部とを前記歯科用インプラントの中心軸方向に沿って且つ前記中心軸と同軸に備え、
前記雄ねじ部は、リードが同じでピッチが異なる複数のねじ部を含み、
前記複数のねじ部は、先端側ほどピッチが大きくなるようにピッチの大きさ順に配置されており、
前記雄ねじ部の外径は、前記中心軸方向において一定、または、前記埋入トルク増大部側ほど大きく、
前記埋入トルク増大部は、前記雄ねじ部のリードとは異なるリードを有するねじ山又は周方向に連続する凸条を含み、
前記中心軸を含む断面において、前記複数のねじ部のうち前記埋入トルク増大部に隣り合うねじ部のねじ山の頂部を前記中心軸方向に沿って順に繋いだ輪郭線が直線であり、前記輪郭線の延長線上に前記埋入トルク増大部の前記ねじ山の頂部又は前記凸条の頂部が位置していることを特徴とする歯科用インプラント。
【請求項２】
前記埋入トルク増大部は、周方向に連続する複数の凸条からなる請求項１に記載の歯科用インプラント。
【請求項３】
前記埋入トルク増大部は、前記雄ねじ部のリードより小さなリードを有するねじ山を備えた微小雄ねじからなる請求項１に記載の歯科用インプラント。
【請求項４】
前記埋入トルク増大部は、周方向に連続する単一の凸条からなる請求項１に記載の歯科用インプラント。
【請求項５】
前記複数のねじ部のうち前記埋入トルク増大部に隣り合うねじ部を前記顎骨に埋入するのに要する埋入トルクより、前記埋入トルク増大部を前記顎骨に埋入するのに要する埋入トルクの方が大きくなるように、前記埋入トルク増大部が構成されている請求項１〜４のいずれかに記載の歯科用インプラント。
【請求項６】
前記輪郭線及びその延長線上にねじ山の頂部が位置している前記雄ねじ部の領域の前記中心軸方向の長さが２．０ｍｍ以上である請求項１〜５のいずれかに記載の歯科用インプラント。
【請求項７】
前記輪郭線及びその延長線上にねじ山の頂部が位置している前記雄ねじ部の領域の前記中心軸方向の長さが３．２ｍｍ以上４．０ｍｍ以下である請求項１〜５のいずれかに記載の歯科用インプラント。
【請求項８】
前記埋入トルク増大部の前記中心軸方向の長さが０．１ｍｍ以上１．０ｍｍ以下である請求項１〜７のいずれかに記載の歯科用インプラント。
【請求項９】
前記埋入トルク増大部の前記中心軸方向の長さが０．２ｍｍ以上０．５ｍｍ以下である請求項１〜７のいずれかに記載の歯科用インプラント。
【請求項１０】
前記輪郭線が前記中心軸となす角度が０．５度以上８度以下である請求項１〜９のいずれかに記載の歯科用インプラント。
【請求項１１】
前記輪郭線が前記中心軸となす角度が１度以上４度以下である請求項１〜９のいずれかに記載の歯科用インプラント。
【請求項１２】
前記複数のねじ部に共通する前記リードの前記中心軸方向の長さが０．５ｍｍ以上２．４ｍｍ以下である請求項１〜１１のいずれかに記載の歯科用インプラント。
【請求項１３】
前記複数のねじ部に共通する前記リードの前記中心軸方向の長さが０．８ｍｍ以上１．５ｍｍ以下である請求項１〜１１のいずれかに記載の歯科用インプラント。
【請求項１４】
前記複数のねじ部の各ピッチが整数比で表される請求項１〜１３のいずれかに記載の歯科用インプラント。
【請求項１５】
前記複数のねじ部のうち最も先端側に配置されたねじ部が多条ねじを備える請求項１〜１４のいずれかに記載の歯科用インプラント。
【請求項１６】
前記雄ねじ部の先端部分は、それ以外の部分に比べてテーパ角度が大きなテーパ面上に形成されている請求項１〜１５のいずれかに記載の歯科用インプラント。
【請求項１７】
先端またはその近傍に、セルフタッピング機能を有するタップ溝を備える請求項１〜１６のいずれかに記載の歯科用インプラント。
【発明の詳細な説明】
【技術分野】
【０００１】
本発明は、顎骨を固定源として、簡便且つ汎用的に臨床使用することができる歯科用インプラントに関する。
【背景技術】
【０００２】
固定源を顎骨とする歯科用インプラントの主たる施術は、歯科用インプラントの外径と略同一又はこれよりわずかに小さい孔（骨孔）を顎骨にインプラントドリルで形成し、次いで、その骨孔に歯科用インプラントを槌打し又はねじ込んで歯科用インプラントを埋入して所望する顎骨位置に埋植することにより行われる。
【０００３】
歯科用インプラントの仕様としては、歯根の代替部位となるフィクスチャと、歯冠支台の代替部位となるアバットメントとの２部品からなり、フィクスチャにアバットメントを結合して使用される２ピースタイプ、フィクスチャ、アバットメント、及びスクリュの３部品からなり、スクリュを用いてフィクスチャにアバットメントを固定する３ピースタイプ、フィクスチャとアバットメントとが一体化された１ピースタイプ等が知られている。
【０００４】
歯科用インプラントの施術方式としては、歯科用インプラントを埋植後、その歯科用インプラントを口腔内へ露出をさせないように歯肉を縫合し、補綴物（歯冠）を装着するまでの間に治癒期間を設ける２回法施術、及び、埋植した歯科用インプラントを露出をさせてその周りの歯肉を縫合する１回法施術等がある。
【０００５】
歯科用インプラントの仕様としては１ピースタイプが施術が最も簡便で物理学的な強度も優位である。また、施術方式としては、歯科用インプラントを埋植直後に上部構造体となる咬合部位の補綴物まで装着することで全治療を完了させる１回法施術は、合計施術時間及び日数を短縮化することができる点や、術者及び患者の金銭的及び精神的負担を軽減することができる点で優位である。ところが、１ピースタイプ及び１回法施術を適用できる症例は、顎骨の骨質及び骨量が十分にあること、口腔衛生状態が良好であること、並びに施術部位に高い咬合圧がかからない部位及び歯列であること等の口腔内条件が揃わなければ実施できないことから、症例に合わせて歯科用インプラントの仕様及び施術方式が適宜選択されているのが現状である。
【０００６】
近年、より簡便に使用できるように歯科用インプラントの技術開発が進められ、また、表面性状や形状等を改良した製品が上市されているが、どれも一長一短がある。
【０００７】
特許文献１は、外面に、リード（１回転させた時の軸方向の移動量のこと、特許文献１では「ピッチ」と記載されている）が同じ又はほぼ同じでピッチ（隣り合うねじ山間の距離のこと、特許文献１では「稜間間隔」と記載されている）が異なる２種類の雄ねじが形成された、骨組織構造への埋入が容易な歯科用インプラントが記載されている。特許文献１の歯科用インプラントは、骨組織構造への埋入を容易にすることのみを意図したものであり、診断時に設計した位置に歯科用インプラントを正確に埋植することについて考慮されていない。
【０００８】
特許文献２は、上記特許文献１と同じ特許権者によるものであって、皮質骨組織層と係合する部分を、上側ほど径が太くなるテーパ形状にした歯科用インプラントが記載されている。この歯科用インプラントを顎骨にねじ込むと、テーパ形状部分でトルクの増大を感覚的に認識することができるので、診断時に設計した位置に歯科用インプラントを正確に埋植することができると特許文献２には記載されている。
【０００９】
ところが、特許文献２では、テーパ形状部分にも、これより先端側の部分から同一リード且つ同一ピッチの雄ねじが連続的に形成されている。従って、テーパ形状部分をねじ込む際のトルクの増加量は一定になるので、診断時に設計した位置に歯科用インプラントを正確に埋植することは実際には困難である。
【００１０】
歯科用インプラントを埋植した後の多くの症例では、骨表面から骨内部方向に向かって１ｍｍ程度の骨吸収（退縮）が起こることが確認されている。この骨吸収の原因の１つは、細菌が骨表面側から骨と歯科用インプラントとの境界に侵入し、骨と歯科用インプラントとの境界に沿って骨内部に向かって骨が浸食されることにある。本発明者らの検討によれば、骨の浸食は、微視的に見れば、歯科用インプラントの中心軸方向に並行的に進むのではなく、歯科用インプラントの外面に形成された雄ねじなどの谷に沿って進む。特許文献２の歯科用インプラントでは、テーパ形状部分及びこれより先端側の部分に同一リード且つ同一ピッチの雄ねじが連続的に形成されているので、この雄ねじの谷に沿って細菌に起因する骨吸収が進展しやすいという問題がある。
【先行技術文献】
【特許文献】
【００１１】
【特許文献１】特許第４２７８３０５号
【特許文献２】特許第４２８２４７９号
【発明の概要】
【発明が解決しようとする課題】
【００１２】
本発明の第１の目的は、診断時に設計した位置に歯科用インプラントを正確に埋植することができる歯科用インプラントを提供することにある。本発明の第２の目的は、骨表面近傍での骨吸収（退縮）を軽減することができる歯科用インプラントを提供することにある。
【課題を解決するための手段】
【００１３】
本発明の歯科用インプラントは、顎骨に埋植される歯科用インプラントであって、その外面に、先端側から、雄ねじ部と埋入トルク増大部とを前記歯科用インプラントの中心軸方向に沿って且つ前記中心軸と同軸に備える。前記雄ねじ部は、リードが同じでピッチが異なる複数のねじ部を含む。前記複数のねじ部は、先端側ほどピッチが大きくなるようにピッチの大きさ順に配置されている。前記雄ねじ部の外径は、前記中心軸方向において一定、または、前記埋入トルク増大部側ほど大きい。前記埋入トルク増大部は、前記雄ねじ部のリードとは異なるリードを有するねじ山又は周方向に連続する凸条を含む。前記中心軸を含む断面において、前記複数のねじ部のうち前記埋入トルク増大部に隣り合うねじ部のねじ山の頂部を前記中心軸方向に沿って順に繋いだ輪郭線が直線であり、前記輪郭線の延長線上に前記埋入トルク増大部の前記ねじ山の頂部又は前記凸条の頂部が位置している。
【発明の効果】
【００１４】
本発明によれば、埋入トルク増大部が顎骨に接触し埋入され始めると、埋入トルクが非連続的に（急激に）増大する。施術者は、このトルクの増大を感覚的に認識することができるので、診断時に設計した埋植位置に歯科用インプラントを正確に埋植することができる。
【００１５】
また、埋入トルク増大部の構成を適切に設定することにより、骨表面近傍での骨吸収（退縮）を軽減することも可能である。
【００１６】
上記の効果は、歯科用インプラントの仕様に関わらずに得ることができる。
【図面の簡単な説明】
【００１７】
【図１Ａ】図１Ａは、本発明の実施形態１にかかる歯科用インプラントの、顎骨に埋植された状態を示した側面図である。
【図１Ｂ】図１Ｂは、図１Ａに示した本発明の実施形態１にかかる歯科用インプラントの上方から見た斜視図である。
【図１Ｃ】図１Ｃは、図１Ａに示した本発明の実施形態１にかかる歯科用インプラントの側面断面図である。
【図１Ｄ】図１Ｄは、図１Ａに示した本発明の実施形態１にかかる歯科用インプラントの上方から見た平面図である。
【図１Ｅ】図１Ｅは、図１Ａに示した本発明の実施形態１にかかる歯科用インプラントの下方から見た底面図である。
【図１Ｆ】図１Ｆは、図１Ａに示した本発明の実施形態１にかかる歯科用インプラントの第１ねじ部の部分拡大側面断面図である。
【図１Ｇ】図１Ｇは、図１Ａに示した本発明の実施形態１にかかる歯科用インプラントの第２ねじ部の部分拡大側面断面図である。
【図２Ａ】図２Ａは、埋入トルク増大部を含む図１Ｃの部分Ａの拡大断面図である。
【図２Ｂ】図２Ｂは、埋入トルク増大部を構成する複数の凸条の別の断面形状を示した拡大断面図である。
【図２Ｃ】図２Ｃは、埋入トルク増大部を構成する複数の凸条の更に別の断面形状を示した拡大断面図である。
【図３】図３は、本発明の実施形態１にかかる、エクスターナル嵌合タイプの歯科用インプラントの一例を示した側面図である。
【図４】図４は、歯肉に接触する部位が設けられた、本発明の実施形態１にかかる歯科用インプラントの一例を示した側面図である。
【図５】図５は、本発明の実施形態１にかかる、１ピースタイプの歯科用インプラントの一例を示した側面図である。
【図６Ａ】図６Ａは、本発明の実施形態２にかかる歯科用インプラントの側面図である。
【図６Ｂ】図６Ｂは、本発明の実施形態２にかかる歯科用インプラントの埋入トルク増大部及びその近傍の拡大断面図である。
【図７Ａ】図７Ａは、本発明の実施形態３にかかる歯科用インプラントの側面図である。
【図７Ｂ】図７Ｂは、本発明の実施形態３にかかる歯科用インプラントの埋入トルク増大部及びその近傍の拡大断面図である。
【図８Ａ】図８Ａは、本発明の実施形態４にかかる歯科用インプラントの側面図である。
【図８Ｂ】図８Ｂは、本発明の実施形態４にかかる歯科用インプラントの埋入トルク増大部及びその近傍の拡大断面図である。
【図９】図９は、本発明の実施形態５にかかる歯科用インプラントの側面図である。
【図１０】図１０は、本発明の実施形態６にかかる歯科用インプラントの側面図である。
【図１１】図１１は、本発明の実施形態７にかかる歯科用インプラントの側面図である。
【図１２】図１２は、本発明の実施形態８にかかる歯科用インプラントの側面図である。
【図１３】図１３は、本発明の実施形態９にかかる歯科用インプラントの側面図である。
【発明を実施するための形態】
【００１８】
上記の本発明の歯科用インプラントにおいて、前記埋入トルク増大部は、周方向に連続する複数の凸条で構成されていてもよい。これにより、細菌が骨表面から骨と歯科用インプラントとの境界に進入して発生する骨吸収（退縮）を更に軽減することができ、骨吸収（退縮）の発生をも防止できる可能性が高くなる。
【００１９】
あるいは、前記埋入トルク増大部は、前記雄ねじ部のリードより小さなリードを有するねじ山を備えた微小雄ねじで構成されていてもよい。あるいは、前記埋入トルク増大部は、周方向に連続する単一の凸条で構成されていてもよい。
【００２０】
前記複数のねじ部のうち前記埋入トルク増大部に隣り合うねじ部を前記顎骨に埋入するのに要する埋入トルクより、前記埋入トルク増大部を前記顎骨に埋入するのに要する埋入トルクの方が大きくなるように、前記埋入トルク増大部が構成されていることが好ましい。これにより、診断時に設計した埋植位置に歯科用インプラントをより正確に埋植することができる。
【００２１】
前記輪郭線及びその延長線上にねじ山の頂部が位置している前記雄ねじ部の領域の前記中心軸方向の長さが２．０ｍｍ以上であることが好ましく、３．２ｍｍ以上４．０ｍｍ以下であることがより好ましい。
【００２２】
前記埋入トルク増大部の前記中心軸方向の長さは０．１ｍｍ以上１．０ｍｍ以下であることが好ましく、０．２ｍｍ以上０．５ｍｍ以下であることがより好ましい。
【００２３】
前記輪郭線が前記中心軸となす角度は０．５度以上８度以下であることが好ましく、１度以上４度以下であることがより好ましい。
【００２４】
前記複数のねじ部に共通する前記リードの前記中心軸方向の長さは０．５ｍｍ以上２．４ｍｍ以下であることが好ましく、０．８ｍｍ以上１．５ｍｍ以下であることがより好ましい。
【００２５】
前記複数のねじ部の各ピッチが整数比で表されることが好ましい。
【００２６】
前記複数のねじ部のうち最も先端側に配置されたねじ部が多条ねじを備えることが好ましい。
【００２７】
前記雄ねじ部の先端部分は、それ以外の部分に比べてテーパ角度が大きなテーパ面上に形成されていることが好ましい。
【００２８】
先端またはその近傍に、セルフタッピング機能を有するタップ溝を備えることが好ましい。
【００２９】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の構成部材を備え得る。また、以下の各図中の部材の寸法は、実際の構成部材の寸法および各部材の寸法比率等を忠実に表したものではない。
【００３０】
（実施形態１）
図１Ａは、本発明の実施形態１にかかる歯科用インプラント５１の、顎骨３０に埋植された状態を示した側面図である。この歯科用インプラント５１は、２ピースタイプ又は３ピースタイプとして使用可能であり、図１Ａではそのフィクスチャのみを示している。また、この歯科用インプラント５１は１回法施術及び２回法施術のいずれにも適用可能である。一点鎖線１１は、歯科用インプラント５１の長手方向に沿った中心軸（主軸）である。図１Ａでは、顎骨３０の骨表面３５を覆う歯肉の図示を省略している。以下の説明の便宜のため、歯科用インプラント５１の中心軸１１方向において、歯冠が装着される側（図１Ａの紙面の上側）を「歯冠側」又は「上側」と呼び、顎骨３０への埋入方向側（図１Ａの紙面の下側）を「先端側」又は「下側」と呼ぶ。図１Ｂは歯科用インプラント５１の上方から見た斜視図、図１Ｃは歯科用インプラント５１の中心軸１１を含む面に沿った側面断面図、図１Ｄは歯科用インプラント５１の上方から見た平面図、図１Ｅは歯科用インプラント５１の下方から見た底面図である。図１Ｆは歯科用インプラント５１の第１ねじ部４の部分拡大側面断面図、図１Ｇは歯科用インプラント５１の第２ねじ部５の部分拡大側面断面図である。
【００３１】
本実施形態の歯科用インプラント５１の外面には、先端側から歯冠側に向かって、雄ねじ部２及び埋入トルク増大部３が、中心軸１１方向に沿ってこの順に形成されている。
【００３２】
雄ねじ部２は、先端側の第１ねじ部４と、歯冠側の第２ねじ部５とで構成される。第１ねじ部４及び第２ねじ部５には、歯科用インプラント５１の中心軸１１と同軸の雄ねじがそれぞれ形成されている。第１ねじ部４の雄ねじは、第２ねじ部５の雄ねじに比べて、リードＬは同じであるが、ピッチは大きい。ここで、「リード」とは、雄ねじを１回転させた時の中心軸１１方向の移動量を意味し、「ピッチ」とは、中心軸１１方向に隣り合うねじ山のピッチ（周期）を意味する。本例では、第１ねじ部４には、図１Ｆに示すように山の径Ｄ１ａが同じで谷の径Ｄ１ｂ１，Ｄ１ｂ２が異なる２本のらせん溝からなる２条ねじが形成されており、第２ねじ部５には、図１Ｇに示すように山の径Ｄ２ａが同じで谷の径Ｄ２ｂも同じ３本以上のらせん溝からなる多条ねじが形成されている。
【００３３】
埋入トルク増大部３は、歯科用インプラント５１の中心軸１１と同軸の複数の凸条（以下、「複凸条」という）１３で構成される。複数の凸条のそれぞれは、歯科用インプラント５１の周方向に連続する環状の突起（リブ又は畝）である。中心軸１１方向に隣り合う凸条間には、歯科用インプラント５１の周方向に連続する溝（または凹状）が形成されている。複凸条１３のピッチは、複凸条１３に隣り合う第２ねじ部５のピッチより小さいことが好ましい。ここで、複凸条１３のピッチは、中心軸１１方向に隣り合う凸条（または溝）のピッチ（周期）を意味する。
【００３４】
雄ねじ部２を構成する第１ねじ部４及び第２ねじ部５の巻き方向は同じである。ここで、ねじの「巻き方向」とは、ねじをその軸に沿って見たときに、ねじを遠ざかる向きに推進させるために必要なねじの回転方向を意味する。
【００３５】
図１Ｃに示すように中心軸１１を含む面に沿った歯科用インプラント５１の断面図において、歯科用インプラント５１の外形（輪郭形状）を「輪郭線」により規定する。「輪郭線」とは、雄ねじ部２に形成されたねじ山の頂部（中心軸１１から最も遠い箇所）を中心軸１１方向に沿って順に繋いだ線により定義される。本例では、輪郭線の傾き（即ち、輪郭線が中心軸１１に対してなす角度）によって、歯冠側から先端側に向かって、順に、第１領域１６、第２領域１７、第３領域１８の３つの領域に雄ねじ部２を分けることができる。
【００３６】
第１領域１６は第２ねじ部５が形成された領域と一致する。第１領域１６での輪郭線（以下、「第１輪郭線１６ａ」という）は直線であり、歯科用インプラント５１の先端側にいくにしたがって中心軸１１までの距離が小さくなるように、中心軸１１に対して角度θ１で傾斜している。そして、第１輪郭線１６ａの上側への延長線上に、埋入トルク増大部３を構成する複凸条１３の各凸条の頂部が位置している（後述する図２Ａ参照）。換言すれば、第１領域１６内に存在する第２ねじ部５とこれに隣接する埋入トルク増大部３とは共通するテーパ面（円錐面）上に形成されており、第１輪郭線１６ａはこのテーパ面（円錐面）の母線に相当する。
【００３７】
第２領域１７は第１ねじ部４の第２ねじ部５側の部分を含む。第２領域１７での輪郭線（以下、「第２輪郭線１７ａ」という）は直線であり、中心軸１１と平行である。換言すれば、第２領域１７内に存在する第１ねじ部４の第２ねじ部５側の部分は共通する円筒面上に形成されており、第２輪郭線１７ａはこの円筒面の母線に相当する。
【００３８】
第３領域１８は第１ねじ部４の先端側の部分を含む。第３領域１８での輪郭線（以下、「第３輪郭線１８ａ」という）は直線であり、歯科用インプラント５１の先端側にいくにしたがって中心軸１１までの距離が小さくなるように、中心軸１１に対して角度θ３で傾斜している。角度θ３は角度θ１よりも大きい（θ３＞θ１）。換言すれば、第３領域１８内に存在する第１ねじ部４の先端側の部分は共通するテーパ面（円錐面）上に形成されており、第３輪郭線１８ａはこのテーパ面（円錐面）の母線に相当する。第３領域１８のテーパ面のテーパ角度は、第１領域１６のテーパ面のテーパ角度より大きい。
【００３９】
歯科用インプラント５１の先端から埋入トルク増大部３の歯冠側端（一般に「骨端部」ともいう）９までの部分（以下、「埋入部分」という）１（図１Ｃ参照）が、図１Ａに示されているように顎骨３０と接触し且つ係合して顎骨３０内に埋入される。従って、埋入部分１は、顎骨と良好なオッセオインテグレーション（osseointegration：一体化形成）が得られることが望まれる。
【００４０】
額骨３０は、その表面側の高密度で硬い皮質骨３１と、その内部の低密度で柔らかい海綿骨３２とで構成される。皮質骨３０の平均的な厚みは２〜３ｍｍである。歯科用インプラントを埋植した後の多くの症例では骨表面から骨内部方向に１ｍｍ程度の骨吸収（退縮）が予想される。但し、これらは一般的な平均数値であり、症例や術式によっては歯科用インプラントの最良形状は様々である。
【００４１】
歯科用インプラント５１は、埋入トルク増大部３及び第１領域１６が皮質骨３１と係合し、第２領域１７及び第３領域１８が海綿骨３２と係合するように設計されている。
【００４２】
第１領域１６を構成する第２ねじ部５は、硬い皮質骨３１に対応するため、図１Ｇに示すように、そのねじピッチＰ２を小さく且つ雄ねじの谷の径Ｄ２ｂを大きくすること、つまり有効径Ｄ２ｅを大きくすることが好ましい。これにより、過度の埋入トルクを必要とせずに第２ねじ部５を皮質骨３１に埋入することができ、また、埋入初期の物理的な固定力を実現できる。
【００４３】
第１領域１６（本実施形態１では第２ねじ部５）の中心軸１１方向の長さＬ１（図１Ｃ参照）は、皮質骨３１の厚さに応じて選択されることが望ましく、一般に、その下限は２．０ｍｍ以上であることが好ましく、３．２ｍｍ以上であることがより好ましい。また、その上限は４．０ｍｍ以下であることが好ましい。
【００４４】
一方、第２領域１７及び第３領域１８を構成する第１ねじ部４は、柔らかい海綿骨３２に対応するため、図１Ｆに示すように、そのねじピッチＰ１を大きく且つ雄ねじの谷の径Ｄ１ｂ１，Ｄ１ｂ２を小さくすること、つまり有効径Ｄ１ｅを小さくすることが好ましい。これにより、良好な埋入トルクで第１ねじ部４を埋入することができ、また、埋入初期の物理的な固定力を実現できる。
【００４５】
従って、上記の観点からは第１ねじ部４のねじ山の高さＨ１，Ｈ２（図１Ｆ参照）は高いほど望ましい。具体的には、ねじ山の高さＨ１，Ｈ２は０．２５ｍｍ以上であることが好ましい。
【００４６】
但し、ねじ山の高さＨ１，Ｈ２を高くすると、雄ねじの谷の径Ｄ１ｂ１，Ｄ１ｂ２が小さくなるので、第１ねじ部４の機械的強度が低下する。また、歯科用インプラントを埋入する前にインプラントドリルで顎骨に形成する骨孔の内径が、一般に歯科用インプラントの各部位に形成された雄ねじの有効径程度であることを考慮すると、雄ねじの谷の径Ｄ１ｂ１，Ｄ１ｂ２が小さすぎると、歯科用インプラント５１を埋植後の歯科用インプラント５１と顎骨との空間が大きくなり、良好なオッセオインテグレーションを得られるまでに時間を要する部位が多くなる。従って、第１ねじ部４のねじ山の高さＨ１，Ｈ２の高さは、１．２ｍｍ以下であることが好ましく、０．８ｍｍ以下であることがより好ましい。
【００４７】
本実施形態１の歯科用インプラント５１は、上述した形状を併用することにより、多くの症例並びに施術方式に対応することができる。
【００４８】
但し、例外的な症例における解決策は次のとおりである。例えば、歯科用インプラント５１の埋入予定位置の額骨３０がすべて軟らかい場合や抜歯直後の施術で埋入初期の物理的な固定力が得られない場合等においては、２回法施術を選択して治癒期間を延長することが好ましい。また、硬い額骨の場合においては、インプラントドリルで形成する骨孔を通常よりわずかに大きくすること、及び／又は、歯科用インプラント５１のリードＬと同一ピッチを有するスレット溝をインプラントドリル（タップドリル）にて骨孔に形成することにより、歯科用インプラント５１を埋入する際の埋入トルクを適正値まで低下させることが好ましい。
【００４９】
歯科用インプラント５１の埋入トルクの適正値は、特に制限はないが、その上限は５０Ｎ・ｃｍ以下であることが好ましく、４０Ｎ・ｃｍ以下であることがより好ましい。また、その下限は２０Ｎ・ｃｍ以上であることが好ましい。
【００５０】
歯科用インプラント５１をインプラントドリルで形成された骨孔に埋入する際、皮質骨３１内に、第２ねじ部５が螺入され、続いて、埋入トルク増大部３が螺入される。埋入トルク増大部３を構成する複凸条１３のリードはゼロと考えることができる。従って、複凸条１３が皮質骨３１に接触し螺入し始めると、歯科用インプラント５１を螺入するためのトルクが非連続的に（急激に）増大する。施術者は、このトルクの非連続的な増大を感覚的に認識することができる。従って、診断時に設計した埋植位置に歯科用インプラント５１を正確に埋植することができる。
【００５１】
また、上述したように、骨吸収（退縮）の原因の１つとして、細菌が骨表面３５から骨と歯科用インプラントとの境界に進入し、骨と歯科用インプラントの境界に沿って先端部に向かって浸食することがある。この場合、細菌は、インプラントの長手方向に沿って浸食するのではなく、歯科用インプラントの表面に形成された溝に沿って進む。本発明の歯科用インプラント５１には、最も歯冠側に埋入トルク増大部３、即ち複凸条１３が形成されている。複凸条１３を構成する各溝はらせん溝ではない。従って、骨吸収（退縮）を遅延させることが可能であり、更には骨吸収（退縮）を防止できる可能性もある。従って、本実施形態１の歯科用インプラント５１は、骨表面３５近傍での骨吸収（退縮）の軽減に有利である。
【００５２】
埋入トルク増大部３の中心軸１１方向の長さＬ３（図１Ｃ参照）が長すぎると、埋入トルク増大部３を顎骨３０に埋入する際の抵抗が増大し歯科用インプラント５１の埋入トルクが高くなるので、顎骨３０が損傷し、骨吸収（退縮）が発生する可能性が増大する。従って、埋入トルク増大部３の長さＬ３の上限は１．０ｍｍ以下であることが好ましく、０．５ｍｍ以下であることがより好ましい。一方、埋入トルク増大部３の中心軸１１方向の長さＬ３が短すぎると、埋入トルク増大部３の上述した効果が低減するので、その下限は、０．１ｍｍ以上であることが好ましく、０．２ｍｍ以上であることがより好ましい。
【００５３】
上述したように、第２ねじ部５のねじ山の頂部及び埋入トルク増大部３を構成する複凸条１３の各凸条の頂部が順に並ぶ第１輪郭線１６ａは、歯科用インプラント５１の歯冠側にいくにしたがって中心軸１１までの距離が大きくなるように、中心軸１１に対して傾斜している。従って、歯科用インプラント５１の第２ねじ部５及び埋入トルク増大部３を骨に埋入するにしたがって、歯科用インプラント５１が骨孔を拡径し、埋入トルクが増大する。これにより、歯科用インプラント５１を埋植した後の、骨に対する歯科用インプラント５１の初期の物理的な固定力を高めることができる。これは、骨吸収（退縮）の軽減に有利である。また、第１輪郭線１６ａが上述したように傾斜していることにより、埋入トルク増大部３が皮質骨３１内に螺入し始めたときのトルクの変化はより顕著になる。
【００５４】
第１輪郭線１６ａが中心軸１１となす角度θ１が小さすぎると、第１輪郭線１６ａが傾斜していることによる上述した効果が低減する。従って、角度θ１の下限は、０．５度以上であることが好ましく、１度以上であることがより好ましい。一方、角度θ１が大きすぎると、歯科用インプラント５１を埋入する際の抵抗が増大し埋入トルクが高くなり、顎骨３０が損傷して骨吸収（退縮）が発生する可能性が高くなる。従って、角度θ１の上限は、８度以下であることが好ましく、４度以下であることがより好ましい。
【００５５】
雄ねじ部２を構成する第１ねじ部４及び第２ねじ部５は共通するリードＬを有している。このリードＬが小さすぎると、歯科用インプラント５１を診断時に設計した埋植位置まで埋入するのに要する時間が長くなり植設作業が煩雑となる。また、一般に、埋入トルクは、リードＬが小さい場合は小さくなり、逆にリードＬが大きい場合は大きくなる。従って、リードＬの下限は、歯科用インプラント５１の植設作業効率を向上させるため、及び、歯科用インプラント５１を埋植した後の、顎骨３０に対する歯科用インプラント５１の初期の物理的な固定力を高めるために、０．５ｍｍ以上であることが好ましく、０．８ｍｍ以上であることがより好ましい。一方、リードＬの上限は、埋入トルクが高くなることにより顎骨３０が損傷して骨吸収（退縮）が発生するのを防止するために、２．４ｍｍ以下であることが好ましく、１．５ｍｍ以下であることがより好ましい。
【００５６】
一方、雄ねじ部２を構成する第１ねじ部４及び第２ねじ部５のピッチは、特に制限はないが、良好な埋入トルクを得るために、その下限は０．０５ｍｍ以上であることが好ましく、０．１ｍｍ以上であることがより好ましい。また、その上限は１ｍｍ以下であることが好ましく、０．２５ｍｍ以下であることがより好ましい。
【００５７】
第１ねじ部４のピッチと第２ねじ部５のピッチとは整数比で表されることが好ましく、更には、第１ねじ部４のピッチは第２ねじ部５のピッチの整数倍であることがより好ましい。これは、皮質骨３１と第２ねじ部５とのとオッセオインテグレーションに有利である。
【００５８】
図２Ａは、埋入トルク増大部３を含む図１Ｃの部分Ａの拡大断面図である。埋入トルク増大部３を構成する複凸条１３の各凸条の断面形状は、図２Ａに示すように三角形である。但し、本発明において、複凸条１３の凸条の断面形状はこれに限定されない。例えば、図２Ｂに示すように、凸条の頂部及び溝（凹条）の底部を丸く形成した異形三角形であってもよい。あるいは、図２Ｃに示すように、凸条の頂部及び溝（凹条）の底部を円筒面又はテーパ面になるように形成した略台形であってもよい。図２Ｃにおいて、凸条の頂部は、第１輪郭線１６ａに沿っていることが好ましい。もちろん、複凸条１３の断面形状は、上記以外の任意の形状を有していてもよい。雄ねじ部２を構成する雄ねじの歯の断面形状についても、上述した埋入トルク増大部３と同様に、任意の形状を採用しうる。
【００５９】
但し、一般には、雄ねじの山の頂部が尖っていると、当該頂部に対応する顎骨の部分に応力が集中して骨吸収が起こる可能性が高くなる。従って、雄ねじの山の頂部を、図２Ｂのように丸める（Ｒ面取りする）ことや、図２Ｃのように切り落とす（Ｃ面取りする）こと、あるいはこれらを組み合わせることなどの処理を施すことが好ましい。
【００６０】
中心軸１１を含む面に沿った断面において、雄ねじ部２を構成する雄ねじの歯及び埋入トルク増大部３を構成する複凸条１３の凸条の先端角度γ（図１Ｆ、図１Ｇ、図２Ａ参照）は、特に制限はないが、その下限は、２０度以上であることが好ましく、４０度以上であることがより好ましい。また、その上限は、９０度以下であることが好ましく、７０度以下であることがより好ましい。先端角度γが上記の下限より小さいと、ねじ山又は凸条の頂部に対応する顎骨の部分に応力が集中して骨吸収が起こる可能性が高くなる。一方、先端角度γが上記の上限より大きいと、骨とのオッセオインテグレーションが得られる表面積が少なくなる。また、雄ねじ部２においては、歯科用インプラント５１を埋入する際に十分な推進力を得られにくくなる。上記の例では、第１ねじ部４、第２ねじ部５、及び、複凸条１３の各先端角度は同じであるが、これらのうちの少なくとも１つの先端角度が他の先端角度と異なっていてもよい。
【００６１】
歯科用インプラント５１の先端部分が先細り形状となるように、先端側の第３領域１８での第３輪郭線１８ａが中心軸１１に対する傾斜角度θ３が、第１領域１６での第１輪郭線１６ａの傾斜角度θ１に比べて相対的に大きく設定されている。これにより、埋入トルクが低くなり、顎骨３０が損傷して骨吸収（退縮）が発生するのを防止することができる。
【００６２】
また、歯科用インプラント５１の先端から歯冠側に向かって延びたタップ溝１５が形成されている。タップ溝１５は、歯科用インプラント５１を顎骨３０内に埋入する過程で、インプラントドリルで形成された骨孔の内周面に雌ねじを形成する（セルフタッピング）。本例では、図１Ａに示されているように、中心軸１１に対して直交する方向に沿って見たとき、タップ溝１５は中心軸１１に対して斜めに延びているが、タップ溝１５の延設方向は任意であり、例えば中心軸１１と平行であってもよい。また、本例では、図１Ｅに示されているように、タップ溝１５は中心軸１１に対して対称位置に２つ形成されているが、タップ溝１５の数も、これより少なくても多くてもよい。複数のタップ溝１５を形成する場合には、中心軸１１に対して等角度間隔で配置することが好ましい。
【００６３】
歯科用インプラント５１の材料は、特に制限はなく、歯科用インプラントの材料として公知の材料を適宜選択して使用することができる。例えば純チタンやチタン合金に代表されるような金属材料またはアルミナやジルコニアに代表されるセラミック材料等を挙げることができる。
【００６４】
歯科用インプラント５１の製造方法も特に制限はなく、歯科用インプラントの製造に用いられる公知の製造方法を適宜選択することができる。歯科用インプラント５１の外面は、例えば切削加工で作成することができる。一般的な精密加工プログラム（ＣＡＤ）を用いて切削加工（ＣＡＭ）するだけで作製した表面性状は、通常、表面粗さＲａが０．２μｍ程度または表面粗さＲｚが２．０μｍ程度であり、この表面粗さの値は加工痕のみに依存する。このような表面性状は、骨とのオッセオインテグレーションには不向きである。表面粗さＲａ又はＲｚが大きい値であっても、表面凹凸の高低差が単純に大きいだけでは細胞のマクロファージ（増殖）には不向きであり、オッセオインテグレーションは不良となる。
【００６５】
よって、埋入部分１の表面は、良好なオッセオインテグレーションを得るために、適度な粗面であることが必要である。具体的には、表面粗さＲａが０．５μｍ以上且つ表面粗さＲｚが５．０μｍであることが好ましく、更には厚生労働省が制定する歯科用インプラント承認基準（薬食発第０５２５００４号）のスクリュ型インプラントの基準である、表面粗さＲａが１．１５以上４．０５μｍ以下且つ表面粗さＲｚが５．０以上４０μｍ以下であることがより好ましい。
【００６６】
このような表面を得るための表面処理方法は、特に制限はなく、公知の表面処理方法を適宜選択して使用することができるが、例えば放電加工、サンドブラスト、酸処理、アルカリ処理、陽極酸化処理、または、リン酸カルシウム等の被覆処理等を例示することができる。
【００６７】
図１Ｃに示されているように、歯科用インプラント５１には、その歯冠側に向かって開口したキャビティ６０が形成されている。アバットメント（図示せず）がキャビティ６０に挿入されて、キャビティ６０と嵌合する。即ち、本実施形態１の歯科用インプラント５１は、フィクスチャとアバットメントとの嵌合部位が、フィクスチャ内に凹状に形成されたキャビティ６０内に存在する、いわゆるインターナル嵌合タイプである。但し、本発明の歯科用インプラントは、このようなインターナル嵌合タイプに限定されず、フィクスチャとアバットメントとの嵌合部位が、フィクスチャの外側（通常は歯冠側端９よりも上側）に設けられるエクスターナル嵌合タイプであってもよい。図３は、エクスターナル嵌合タイプの歯科用インプラント５１の一例を示した側面図であり、本例では歯冠側端９よりも上方に向かって突出した凸部６２がアバットメント（図示せず）と嵌合する。インターナル嵌合タイプと同様に、エクスターナル嵌合タイプにおいても、２ピースタイプ及び３ピースタイプのいずれにも適用可能である。
【００６８】
図４に示すように、歯科用インプラント５１は、顎骨に埋入される埋入部分１より上側に、歯肉を貫通し且つ歯肉と接触する部位（以下、「カフ部」という）６３を備えていてもよい。カフ部６３の外面の表面性状は、上述した埋入部分１の外面のような粗面である必要はなく、例えば平滑面や鏡面など、公知の表面性状を適宜選択して用いることができる。また、カフ部６３の形状も特に制限はない。図４は、インターナル嵌合タイプの本実施形態１の歯科用インプラントにカフ部６３を設けた例であるが、図示を省略するが、エクスターナル嵌合タイプの本実施形態１の歯科用インプラントにカフ部６３を同様に設けることもできる。
【００６９】
上述した歯科用インプラント５１は、歯根の代替部位となるフィクスチャと歯冠支台の代替部位となるアバットメントとの２部品からなる２ピースタイプ、又は、フィクスチャ及びアバットメントに加えて、アバットメントをフィクスチャに固定するためのスクリュからなる３ピースタイプのフィクスチャとして使用可能である。但し、本発明の歯科用インプラントは、２ピースタイプ及び３ピースタイプに限定されず、例えば、図５に示すような、歯根の代替部位となるフィクスチャにアバットメント６１が一体化された１ピースタイプにも適用することができる。図５において、顎骨に埋入される埋入部分１とアバットメント６１との間に、図４において説明した、歯肉を貫通し且つ歯肉と接触するカフ部６３が設けられている。
【００７０】
本実施形態１の歯科用インプラント５１の用途は、特に制限はない。例えば欠損歯牙の代替として用いられる歯科用インプラントであってもよく、あるいは歯列矯正用ワイヤの固定元等として用いられる暫間インプラントであってもよく、更に、これら以外の任意の用途に用いられる歯科用インプラントであってもよい。
【００７１】
また、歯科用インプラント５１の施術方式についても、特に制限はなく、歯科用インプラント５１を埋植後、歯科用インプラント５１を口腔内への露出をさせないように歯肉を縫合し補綴物を装着するまでの間に治癒期間を設ける２回法施術や、埋植した歯科用インプラント５１を露出をさせて歯科用インプラント５１の周りの歯肉を縫合する１回法施術等、公知の施術方式に適用することができる。
【００７２】
現実の歯科臨床では、様々な額骨の状態及び口腔内環境に合わせて歯科用インプラントの仕様及び施術方式が選択されている。一般に、歯科用インプラントの操作性を向上させると歯科用インプラントの臨床応用幅が狭くなり、臨床応用幅が広い歯科用インプラントを用いると歯科用インプラントの操作が煩雑になる等、歯科用インプラントの仕様及び施術方式には一長一短がある。本実施形態１の歯科用インプラント５１は、仕様及び施術方式を問わず、広範囲に利用することが可能である。
【００７３】
（実施形態２）
本実施形態２は、埋入トルク増大部３の構成に関して実施形態１と異なる。以下、実施形態１と異なる点を中心に本実施形態２を説明する。以下の説明において参照する図面において、実施形態１と同じ要素には実施形態１と同じ符号が付されており、それらの説明を省略する。
【００７４】
図６Ａは、本実施形態２にかかる歯科用インプラント５２の側面図である。図６Ｂは、本実施形態２にかかる歯科用インプラント５２の埋入トルク増大部３及びその近傍の、中心軸１１を含む面に沿った拡大断面図である。本実施形態２では、埋入トルク増大部３は、歯科用インプラント５２の中心軸１１と同軸の微小雄ねじ２３で構成される。微小雄ねじ２３は、雄ねじ部２のリードより小さなリードを有するねじ山からなる雄ねじである。微小雄ねじ１３のピッチは、微小雄ねじ１３に隣り合う第２ねじ部５のピッチより小さいことが好ましい。微小雄ねじ１３の巻き方向は雄ねじ部２を構成するねじ部の巻き方向と同じである。
【００７５】
実施形態１と同様に、本実施形態２でも、第２ねじ部５のねじ山の頂部を中心軸１１方向に順に繋いだ第１輪郭線１６ａが直線である。そして、第１輪郭線１６ａの延長線上に微小雄ねじ２３のねじ山の各頂部が位置している。
【００７６】
埋入トルク増大部３を構成する微小雄ねじ２３のリードは第２ねじ部５のリードより小さい。従って、歯科用インプラント５２をインプラントドリルで形成された骨孔に埋入する際、微小雄ねじ２３が皮質骨３１に接触し螺入し始めると、歯科用インプラント５２を螺入するためのトルクが非連続的に（即ち、急激に）増大する。施術者は、このトルクの非連続的な増大を感覚的に認識することができる。従って、実施形態１と同様に、診断時に設計した埋植位置に歯科用インプラント５２を正確に埋植することができる。
【００７７】
また、骨表面から骨と歯科用インプラント５２との境界に進入した細菌は、微小雄ねじ２３のねじ溝に沿って進行する。微小雄ねじ２３のリードは雄ねじ部２のリードより小さいから、実施形態１の複凸条１３と同様に、本実施形態２の微小雄ねじ２３も、骨吸収（退縮）を遅延させることが可能である。従って、本実施形態２の歯科用インプラント５２は、骨表面近傍での骨吸収（退縮）の軽減に有利である。
【００７８】
微小雄ねじ２３のねじ歯の断面形状に関しては、実施形態１の複凸条１３の凸条及び溝（凹条）の断面形状（図２Ａ〜図２Ｃ参照）に関する説明が同様に当てはまる。また、ねじ山の先端角度γ２（図６Ｂ参照）に関しては、実施形態１の複凸条１３の凸条の先端角度γに関する説明が同様に当てはまる。
【００７９】
本実施形態２は、上記を除いて実施形態１と同じである。実施形態１の説明は、そのまま又は適宜変更して本実施形態２にも適用される。
【００８０】
（実施形態３）
本実施形態３は、埋入トルク増大部３の構成に関して実施形態１と異なる。以下、実施形態１と異なる点を中心に本実施形態３を説明する。以下の説明において参照する図面において、実施形態１と同じ要素には実施形態１と同じ符号が付されており、それらの説明を省略する。
【００８１】
図７Ａは、本実施形態３にかかる歯科用インプラント５３の側面図である。図７Ｂは、本実施形態３にかかる歯科用インプラント５３の埋入トルク増大部３及びその近傍の、中心軸１１を含む面に沿った拡大断面図である。本実施形態３では、埋入トルク増大部３は、歯科用インプラント５３の周方向に連続する１本の凸条３３で構成されている。凸条３３の外周面は、歯科用インプラント５３の中心軸１１と同軸の円錐面（テーパ面）である。
【００８２】
実施形態１と同様に、本実施形態３でも、第２ねじ部５のねじ山の頂部を中心軸１１方向に順に繋いだ第１輪郭線１６ａが直線である。そして、第１輪郭線１６ａの延長線上に凸条３３の頂部（即ち、上記円錐面）が位置している。換言すれば、凸条３３の周囲の円錐面の母線は第１輪郭線１６ａと一致する。
【００８３】
歯科用インプラント５３をインプラントドリルで形成された骨孔に埋入する際、凸条３３が皮質骨に接触し螺入し始めると、歯科用インプラント５３を螺入するためのトルクが非連続的に（急激に）増大する。施術者は、このトルクの非連続的な増大を感覚的に認識することができる。従って、実施形態１と同様に、診断時に設計した埋植位置に歯科用インプラント５３を正確に埋植することができる。
【００８４】
なお、本実施形態３では、埋入トルク増大部３に実施形態１，２のような溝は実質的に形成されていない。従って、骨表面から骨と歯科用インプラント５３との境界に進入した細菌による骨吸収（退縮）を防止する効果は、実施形態１，２に比べると少ない。
【００８５】
本実施形態３は、上記を除いて実施形態１と同じである。実施形態１の説明は、そのまま又は適宜変更して本実施形態３にも適用される。
【００８６】
（実施形態４）
本実施形態４は、埋入トルク増大部３の構成に関して実施形態１と異なる。以下、実施形態１と異なる点を中心に本実施形態４を説明する。以下の説明において参照する図面において、実施形態１と同じ要素には実施形態１と同じ符号が付されており、それらの説明を省略する。
【００８７】
図８Ａは、本実施形態４にかかる歯科用インプラント５４の側面図である。図８Ｂは、本実施形態４にかかる歯科用インプラント５４の埋入トルク増大部３及びその近傍の、中心軸１１を含む面に沿った拡大断面図である。本実施形態４では、埋入トルク増大部３は、歯科用インプラント５４の周方向に連続する１本の凸条４３で構成されている。図８Ｂに示されているように、凸条４３の外周面の断面形状は、略円弧形状を有している。凸条４３の外径は歯冠側端９にて最大となる。
【００８８】
実施形態１と同様に、本実施形態４でも、第２ねじ部５のねじ山の頂部を中心軸１１方向に順に繋いだ第１輪郭線１６ａが直線である。そして、第１輪郭線１６ａの延長線上に凸条４３の頂部（即ち、最大径をなす部分）が位置している。
【００８９】
歯科用インプラント５４をインプラントドリルで形成された骨孔に埋入する際、凸条４３が皮質骨に接触し螺入し始めると、歯科用インプラント５４を螺入するためのトルクが非連続的に（急激に）増大する。施術者は、このトルクの非連続的な増大を感覚的に認識することができる。従って、実施形態１と同様に、診断時に設計した埋植位置に歯科用インプラント５４を正確に埋植することができる。
【００９０】
なお、本実施形態４では、埋入トルク増大部３に実施形態１，２のような溝は実質的に形成されていない。従って、骨表面から骨と歯科用インプラント５４との境界に進入した細菌による骨吸収（退縮）を防止する効果は、実施形態１，２に比べると少ない。
【００９１】
本実施形態４は、上記を除いて実施形態１と同じである。実施形態１の説明は、そのまま又は適宜変更して本実施形態４にも適用される。
【００９２】
（実施形態５）
図９は、本発明の実施形態５にかかる歯科用インプラント５５の側面図である。実施形態１では第１ねじ部４に谷の径が異なる２本のらせん溝からなる２条ねじが形成されていたのに対して、本実施形態５では第１ねじ部４に１本のらせん溝からなる１条ねじが形成されている。第２ねじ部５には、リードが第１ねじ部４のリードＬと同じで、ピッチが第１ねじ部４のピッチより小さな多条ねじが形成されている。本実施形態５では、一般に雄ねじ部２のリードは実施形態１よりも小さくなる。
【００９３】
図９では、第１ねじ部４を１条ねじに変更した例を示したが、本発明はこれに限定されず、３条ねじ以上の多条ねじを第１ねじ部４に形成してもよい。第１ねじ部４の条数に関わらず、第２ねじ部５には、第１ねじ部４とリードが同じで、ピッチが小さな雄ねじが形成される。
【００９４】
本実施形態５は、上記を除いて実施形態１と同じである。
【００９５】
上記の説明では、実施形態１の第１ねじ部４の構成を変更する例を示したが、同様の変更を実施形態２〜４に適用することもできる。
【００９６】
（実施形態６）
図１０は、本発明の実施形態６にかかる歯科用インプラント５６の側面図である。実施形態１では雄ねじ部２が２つのねじ部（第１ねじ部４及び第２ねじ部５）で構成されていたのに対して、本実施形態６では３つのねじ部（第１ねじ部４、第２ねじ部５及び第３ねじ部６）で構成されている。本実施形態６の第１ねじ部４及び第２ねじ部５には、実施形態１の第１ねじ部４及び第２ねじ部５とリード、ピッチ、条数が同じ雄ねじがそれぞれ形成されている。第３ねじ部６は第１ねじ部４と第２ねじ部５との間に配置されている。第３ねじ部６には、リードが第１ねじ部４及び第２ねじ部５と同じで、ピッチが第１ねじ部４より小さく且つ第２ねじ部５より大きな多条ねじが形成されている。実施形態１で説明したように、第１ねじ部４、第２ねじ部５、及び第３ねじ部６の各ピッチは整数比で表されることが好ましく、更には、第１ねじ部４のピッチは、第２ねじ部５及び第３ねじ部６の各ピッチの整数倍であることがより好ましい。
【００９７】
実施形態１と同様に、第２ねじ部５のねじ山の頂部を中心軸１１方向に沿って順に繋いだ第１輪郭線１６ａは直線となり、この第１輪郭線１６ａの上側への延長線上に、埋入トルク増大部３を構成する複凸条１３の各凸条の頂部が位置している。
【００９８】
また、第１輪郭線１６ａの下側への延長線上に、第３ねじ部６のねじ山の各頂部が位置している。従って、本実施形態６では、第１領域１６は第２ねじ部５及び第３ねじ部６が形成された領域と一致する。
【００９９】
本例では、埋入トルク増大部３及び第１領域１６（第２ねじ部５及び第３ねじ部６）が皮質骨と係合し、第２領域１７及び第３領域１８（第１ねじ部４）が海綿骨３２と係合することが好ましい。
【０１００】
従って、実施形態１で説明したように、第１領域１６（即ち、本実施形態６では第２ねじ部５及び第３ねじ部６）の中心軸１１方向の長さＬ１は、２．０ｍｍ以上であることが好ましく、更には３．２ｍｍ以上４．０ｍｍ以下であることがより好ましい。
【０１０１】
本実施形態６では、第１ねじ部４と第２ねじ部５との間に第３ねじ部６を備えているので、歯科用インプラント５６を埋植する際にピッチが変化することによる埋入トルクの変化を少なくすることができる。
【０１０２】
図１０では、雄ねじ部２をリードが同じでピッチが異なる３種類のねじ部で構成された例を示したが、雄ねじ部２を構成するねじ部の種類数はこれに限定されず、４種類以上であってもよい。雄ねじ部２を構成するねじ部の種類数に関わらず、先端側ほどピッチが大きくなるようにピッチの大きさ順にねじ部が配置される。雄ねじ部２を構成する全てのねじ部のリードは同じに設定され、また、各ねじ部の巻き方向は同じに設定される。
【０１０３】
本実施形態６は、上記を除いて実施形態１と同じである。
【０１０４】
上記の説明では、実施形態１の雄ねじ部２を３種類以上のねじ部で構成する例を示したが、実施形態２〜５の雄ねじ部２に本実施形態６を適用することもできる。
【０１０５】
（実施形態７）
図１１は、本発明の実施形態７にかかる歯科用インプラント５７の側面図である。実施形態１の歯科用インプラント５１の外形（輪郭形状）が中心軸１１に対する傾きが異なる３つの輪郭線（第１輪郭線１６ａ、第２輪郭線１７ａ、第３輪郭線１８ａ）を有していたのに対して、本実施形態７の歯科用インプラント５７の外形（輪郭形状）は実質的に単一の輪郭線１９ａのみを有している。即ち、埋入トルク増大部３及び雄ねじ部２は、輪郭線１９ａを母線とする単一のテーパ面（円錐面）上に形成されている。輪郭線１９ａは、歯科用インプラント５７の先端側にいくにしたがって中心軸１１までの距離が小さくなるように、中心軸１１に対して角度θで傾斜している。
【０１０６】
図１１では、歯科用インプラント５７の外形が単一の輪郭線を有している例を示したが、歯科用インプラントの外形が４本以上の輪郭線を有していてもよい。輪郭線の数に関わらず、いずれの輪郭線も、中心軸１１までの距離が下側ほど小さくなるように傾斜しているか、または、中心軸１１と平行である。輪郭線に沿って歯科用インプラントの外形が設定される。従って、歯科用インプラントの外径は、歯冠側ほど大きくなる。
【０１０７】
本実施形態７は、上記を除いて実施形態１と同じである。
【０１０８】
上記の説明では、実施形態１の歯科用インプラント５１の外形（輪郭形状）を変更する例を示したが、同様の変更を実施形態２〜６に適用することもできる。
【０１０９】
（実施形態８）
図１２は、本発明の実施形態８にかかる歯科用インプラント５８の側面図である。実施形態７で説明した図１１の歯科用インプラント５７では輪郭線１９ａが中心軸１１に対して角度θ（θ＞０度）で傾斜していたのに対して、本実施形態８の歯科用インプラント５８では輪郭線１９ｂが中心軸１１と平行である。即ち、埋入トルク増大部３及び雄ねじ部２は、中心軸１１と同軸の円筒面上に形成されている。従って、歯科用インプラント５８の外径は、中心軸１１方向において一定である。
【０１１０】
本実施形態８は、上記を除いて実施形態１と同じである。
【０１１１】
上記の説明では、実施形態１の歯科用インプラント５１の外形（輪郭形状）を変更する例を示したが、同様の変更を実施形態２〜６に適用することもできる。
【０１１２】
（実施形態９）
図１３は、本発明の実施形態９にかかる歯科用インプラント５９の側面図である。実施形態１の歯科用インプラント５１にはタップ溝１５が形成されていたのに対して、本実施形態９の歯科用インプラント５９にはタップ溝が形成されていない。本実施形態９の歯科用インプラント５９は、インプラントドリル（タップドリル）を用いてスレット溝をあらかじめ形成した骨孔に埋入する場合に好ましく使用することができる。
【０１１３】
本実施形態９は、上記を除いて実施形態１と同じである。
【０１１４】
上記の説明では、実施形態１の歯科用インプラント５１においてタップ溝を省略した例を示したが、実施形態２〜８の歯科用インプラントにおいてタップ溝を同様に省略することもできる。
【０１１５】
以上に説明した実施形態は、いずれもあくまでも本発明の技術的内容を明らかにする意図のものであって、本発明はこのような具体例にのみ限定して解釈されるものではなく、特許請求の範囲に記載された範囲内でいろいろと変更して実施することができ、本発明はそれらの変更を包含する。
【産業上の利用可能性】
【０１１６】
本発明の歯科用インプラントは、額骨の状態及び口腔内環境に関わらず広範囲に適用することができ、臨床応用幅が広く汎用性が高い。また、診断時に設計した位置に歯科用インプラントを正確に埋植することができる。更に、埋入トルク増大部の構成を適切に選択すれば、骨端部周辺の骨吸収（退縮）を軽減することも可能である。従って、本発明は歯科用インプラントの分野に広く利用することができる。
【符号の説明】
【０１１７】
１  埋入部分
２  雄ねじ部
３  埋入トルク増大部
４  第１ねじ部
５  第２ねじ部
６  第３ねじ部
９  歯冠側端（骨端部）
１１  歯科用インプラントの中心軸
１３  複凸条（埋入トルク増大部）
１５  タップ溝
１６  第１領域
１６ａ  第１輪郭線
１７  第２領域
１７ａ  第２輪郭線
１８  第３領域
１８ａ  第３輪郭線
１９ａ，１９ｂ  輪郭線
２３  微小雄ねじ（埋入トルク増大部）
３０  顎骨
３１  皮質骨
３２  海綿骨
３３，４３  凸条（埋入トルク増大部）
３５  骨表面
５１〜５９  歯科用インプラント
６０  キャビティ
６１  アバットメント
６２  凸部
６３  カフ部
【図１Ａ】
0005156113.tif 000002
【図１Ｂ】
0005156113.tif 000003
【図１Ｃ】
0005156113.tif 000004
【図１Ｄ】
0005156113.tif 000005
【図１Ｅ】
0005156113.tif 000006
【図１Ｆ】
0005156113.tif 000007
【図１Ｇ】
0005156113.tif 000008
【図２Ａ】
0005156113.tif 000009
【図２Ｂ】
0005156113.tif 000010
【図２Ｃ】
0005156113.tif 000011
【図３】
0005156113.tif 000012
【図４】
0005156113.tif 000013
【図５】
0005156113.tif 000014
【図６Ａ】
0005156113.tif 000015
【図６Ｂ】
0005156113.tif 000016
【図７Ａ】
0005156113.tif 000017
【図７Ｂ】
0005156113.tif 000018
【図８Ａ】
0005156113.tif 000019
【図８Ｂ】
0005156113.tif 000020
【図９】
0005156113.tif 000021
【図１０】
0005156113.tif 000022
【図１１】
0005156113.tif 000023
【図１２】
0005156113.tif 000024
【図１３】
0005156113.tif 000025